(57)【要約】【課題】血液中に存在する電解質、ガス種及び代謝物質の濃度または赤血球容積率など、医療陣の医療行為に必要なデータを自動的に分析して記録する。【解決手段】血液分析装置は、収納空間を備えたフレームと、試薬容器、試薬供給及び遮断部、及び血液供給部を備えるカートリッジと、前記血液供給部を介して供給される血液中に含まれた電解質、ガス種及び代謝物質の濃度または赤血球容積率を検出するセンサーカードと、前記センサーカードで検出された信号を入力されて処理するコントローラーと、血液供給部開閉レバーと、前記血液供給部開閉レバーの動力を伝達して前記カートリッジの血液供給部を開閉させる動力伝達部と、前記試薬容器の試薬を移送する試薬移送部と、前記カートリッジの試薬供給及び遮断部を駆動して試薬を移送させる管路を開閉させる駆動部と、を備える。【選択図】図８
2011503538.tif 000002
【特許請求の範囲】
【請求項１】
収納空間を備えたフレームと、
前記フレームに設置され、試薬を保管する試薬容器、前記試薬を供給または遮断する試薬供給及び遮断部、及び血液供給部を備えるカートリッジと、
前記フレームまたは前記カートリッジに設置され、前記血液供給部を介して供給される血液中に含まれた電解質、ガス種及び代謝物質の濃度または赤血球容積率を検出するセンサーカードと、
前記センサーカードで検出された信号を入力して処理するコントローラーと、
前記フレームに結合される血液供給部開閉レバーと、
前記フレームに提供され、前記血液供給部開閉レバーの動力を伝達して前記カートリッジの血液供給部を開閉させる動力伝達部と、
前記フレームに設置され、前記試薬容器の試薬を移送する試薬移送部と、
前記コントローラーの制御によって、前記カートリッジの試薬供給及び遮断部を駆動して試薬を移送させる管路を開閉させる駆動部と、を備える血液分析装置。
【請求項２】
前記駆動部は、
前記コントローラーによって制御されるソレノイド部と、
前記ソレノイド部の電気的な作用によって移動する移動部材と、を備えることを特徴とする請求項１に記載の血液分析装置。
【請求項３】
前記血液分析装置は、前記コントローラーで処理される内容を出力する出力部を備え、前記出力部は、ディスプレイとプリンターが一体に形成されることを特徴とする請求項１に記載の血液分析装置。
【請求項４】
前記センサーカードで検出された信号を入力して処理するコントローラーと、前記試薬移送部及び前記駆動部を制御するコントローラーとは、電気的に分離されていることを特徴とする請求項１に記載の血液分析装置。
【請求項５】
前記センサーカードで検出された信号は、入力して処理するコントローラーで検出された信号の種類に応じて電気的に分離されていることを特徴とする請求項１に記載の血液分析装置。
【請求項６】
前記フレームには、カートリッジドアがヒンジ結合され、前記カートリッジドアをロックするカートリッジドアロック装置が結合され、前記カートリッジドアロック装置のロック状態をセンシングして、センシングされた信号を前記コントローラーに伝送するカートリッジドアロック感知センサーが結合されることを特徴とする請求項１に記載の血液分析装置。
【請求項７】
前記フレームには、血液供給部開閉レバーロック装置が結合され、前記血液供給部開閉レバーロック装置のロック状態をセンシングして、センシングされた信号を前記コントローラーに伝送する血液供給部開閉レバーロック感知センサーが結合されることを特徴とする請求項１に記載の血液分析装置。
【請求項８】
前記フレームには、前記駆動部の作動状態を感知して前記コントローラーに伝送する駆動部作動感知センサーが結合されることを特徴とする請求項１に記載の血液分析装置。
【請求項９】
前記血液供給部開閉レバーは、血液供給部を開閉する血液供給部開閉カバーからなり、前記血液供給部開閉カバーには、中央部に拡大鏡が結合されることを特徴とする請求項１に記載の血液分析装置。
【請求項１０】
前記フレームには、前記センサーカードの温度を一定に維持するようにヒーターが設けられたヒーターブロックを備えることを特徴とする請求項１に記載の血液分析装置。
【請求項１１】
前記カートリッジは、前記センサーと管路を介して連結される検体廃棄容器が設けられることを特徴とする請求項１に記載の血液分析装置。
【請求項１２】
収納空間を備えるフレームと、
前記フレームに収容されるカートリッジケースと、前記カートリッジケースに設けられて、血液中に含まれた電解質、ガス種及び代謝物質の濃度または赤血球容積率を検出するセンサーカードと、前記カートリッジケースに収容され、試薬移送部によって前記センサーカードに移送される試薬が保管される試薬容器と、前記試薬容器と管路を介して一対一で対応して連結された状態で固定された試薬管路連結部材と、前記試薬容器に収容された試薬を前記センサーカードに供給するか、またはその試薬を遮断する試薬供給及び遮断部と、前記試薬管路連結部材と連結または遮断され、血液または試薬を前記センサーカードに供給するように前記センサーカードと管路を介して連結される血液供給部とを備えるカートリッジと、
前記センサーカードで検出された信号を入力して処理するコントローラーと、
前記フレームに結合される血液供給部開閉レバーと、
前記フレームに提供され、前記血液供給部開閉レバーの動力を伝達して前記カートリッジの血液供給部を開閉させる動力伝達部と、
前記フレームに設置され、前記カートリッジの試薬を移送する試薬移送部と、
前記コントローラーの制御によって前記試薬供給及び遮断部を駆動して試料を移送させる管路を開閉させる駆動部と、を備えることを特徴とする血液分析装置。
【請求項１３】
前記試薬管路連結部材は、前記試薬容器と管路を介して連結される複数の流入口と、前記流入口と連結されて試薬を前記血液供給部を通じて前記センサーカードに供給する排出口と、を備えることを特徴とする請求項１２に記載の血液分析装置。
【請求項１４】
前記試薬供給及び遮断部は、
前記試薬容器と前記試薬管路連結部材とを連結する管路に設置され、スライディング動作で管路を加圧すれば管路が閉鎖され、加圧が解除されれば管路が開放される加圧部材と、
前記加圧部材が前記管路を加圧している状態を維持する方向に弾性力によって支持される弾性部材と、を備えることを特徴とする請求項１２に記載の血液分析装置。
【請求項１５】
前記加圧部材は、
ボディー部と、
前記ボディー部の先端に提供されて弾性部材が支持されるヘッド部と、
前記ボディー部から延び、前記管路挿入孔が形成される延長部と、を備えることを特徴とする請求項１４に記載の血液分析装置。
【請求項１６】
収納空間が設けられたカートリッジケースと、
前記カートリッジケースに提供されて、血液中に含まれた電解質、ガス種及び代謝物質の濃度または赤血球容積率を検出するセンサーカードと、
前記カートリッジケースの収納空間に収容され、試薬移送部によって前記センサーカードに移送される試薬容器と、
前記カートリッジケースの収納空間に収容され、前記センサーカードと管路を介して連結される検体廃棄容器と、
前記試薬容器と管路を介して一対一で対応して連結された状態で固定された試薬管路連結部材と、
前記試薬容器に収容された試薬を前記センサーカードに供給するか、またはその試薬を遮断する試薬供給及び遮断部と、
前記試薬管路連結部材と連結または遮断され、血液または試薬を前記センサーカードに供給するように前記センサーカードと管路を介して連結される血液供給部と、を備えることを特徴とする血液分析装置用カートリッジ。
【請求項１７】
前記試薬管路連結部材は、前記試薬容器と管路を介して連結される複数の流入口と、前記流入口と連結されて、試薬を前記血液供給部を通じて前記センサーカードに供給する排出口と、を備えることを特徴とする請求項１６に記載の血液分析装置用カートリッジ。
【請求項１８】
前記試薬供給及び遮断部は、前記試薬容器と前記試薬管路連結部材とを連結する管路に設置され、スライディング動作で管路を加圧すれば管路が閉鎖され、加圧が解除されれば管路が開放される加圧部材と、前記加圧部材が前記管路を加圧している状態を維持する方向に弾性力によって支持される弾性部材とを備えることを特徴とする請求項１６に記載の血液分析装置用カートリッジ。
【請求項１９】
前記加圧部材は、
ボディー部と、
前記ボディー部の先端に設けられて弾性部材が支持されるヘッド部と、
前記ボディー部から延び、前記管路挿入孔が形成される延長部と、を備えることを特徴とする請求項１８に記載の血液分析装置用カートリッジ。
【請求項２０】
前記カートリッジには、前記血液供給部が一定の位置に収納されるように案内するガイドが設けられることを特徴とする請求項１６に記載の血液分析装置用カートリッジ。
【発明の詳細な説明】
【技術分野】
【０００１】
本発明は、血液分析装置用カートリッジ及びそれを用いた血液分析装置に係り、さらに詳細には、医療用として用いられ、血液中に存在する電解質（Ｎａ＋、Ｋ＋、Ｃｌ−など）、ガス種（ＰＯ２、ＰＣＯ２など）及び代謝物質（グルコース、乳酸塩、尿素など）の濃度または赤血球容積率など、医療陣の医療行為に必要なデータを自動的に分析して記録する血液分析装置用カートリッジ及びそれを用いた血液分析装置に関する。
【背景技術】
【０００２】
一般的に、血液中の電解質、ガス種及び代謝物質の濃度または赤血球容積率などは人体内で恒常性を維持しており、濃度の不均衡現象が発生する場合に、その濃度の過多あるいは欠乏症状と共に各種の疾病を引き起こす。したがって、血液中の電解質、ガス種及び代謝物質の濃度または赤血球容積率などの迅速な測定は、医療陣が生体の不均衡現象から人体の機能異常及び疾病の進行状況を迅速に予測するのに役立つ。このように、血液中に含まれている電解質のイオン、ガス種及び代謝物質の濃度または赤血球容積率などを測定する装備は、血液を供給する血液供給部、センサーを備えるセンシング部、センサーに試薬を供給する試薬供給部、データ処理部及び複数の駆動原などを備えることができる。このような従来の血液分析装置は、機械装置の特性上、その構造が複雑かつ大型であり、特定の検査室でのみ使用されるため、使用される場所が制限されるという短所がある。特に、医療分野の特性上、患者のいる場所ならばいかなる場所ででも迅速に医療陣が必要とするデータを得るべきであるにもかかわらず、血液分析装置が配置された検査室でのみ検査が行われるため、検査時間が長くなり、医療陣の意思決定が遅延されるなど、使用上の不具合がある。さらに、従来の血液分析装置は、多様な種類の試薬やセンサーをそれぞれ周期的に入れ替えて使用せねばならないことから、メンテナンスが煩雑である。したがって、それに対する解決策として、試薬、センサー、及び血液供給部を一つのカートリッジに構成したカートリッジ型血液分析装置が市場に現れているが、カートリッジの内部に試薬液を代わる代わるセンシング部に供給する過程で薬液が濡れる恐れがあり、測定データの信頼性及び商品性が低下するという問題点がある。
【先行技術文献】
【特許文献】
【０００３】
【特許文献１】米国特許第６，０６６，２４３号公報
【発明の概要】
【発明が解決しようとする課題】
【０００４】
したがって、本発明は、前記問題点を解決するためになされたものであって、本発明の目的は、卓上用として使用可能であり、小型かつ移動可能な構造を有するため、手術室、回復室、応急室、診断検査室、救急車、戦場及び緊急医療現場など、患者のいる場所ならばいかなる場所ででも容易に、患者の血液中に含まれている電解質、ガス種及び代謝物質の濃度または赤血球容積率などを分析することによって、医療陣が患者の状態を迅速かつ便利に確認して適切な医療行為を行うことができる血液分析装置用カートリッジ及びそれを用いた血液分析装置を提供するところにある。
【０００５】
また、本発明の他の目的は、比較的に簡単な構造を有し、耐久性に優れており、製造コストを削減して生産性を向上させることができ、使用が便利であり、試薬液の漏れを防止することによって商品性を向上させることができる血液分析装置用カートリッジ及びそれを用いた血液分析装置を提供するところにある。
【課題を解決するための手段】
【０００６】
前記目的を達成するために、本発明は、収納空間を備えたフレームと、前記フレームに設置され、試薬を保管する試薬容器、前記試薬を供給または遮断する試薬供給及び遮断部、及び血液供給部を備えるカートリッジと、前記フレームまたは前記カートリッジに設置され、前記血液供給部を介して供給される血液中に含まれた電解質、ガス種及び代謝物質の濃度または赤血球容積率を検出するセンサーカードと、前記センサーカードで検出された信号を入力されて処理するコントローラーと、前記フレームに結合される血液供給部開閉レバーと、前記フレームに提供され、前記血液供給部開閉レバーの動力を伝達して前記カートリッジの血液供給部を開閉させる動力伝達部と、前記フレームに設置され、前記試薬容器の試薬を移送する試薬移送部と、前記コントローラーの制御によって、前記カートリッジの試薬供給及び遮断部を駆動して試薬を移送させる管路を開閉させる駆動部と、を備える血液分析装置を含むのが好ましい。
【０００７】
前記血液分析装置は、前記コントローラーで処理される内容を出力する出力部を備え、前記出力部は、ディスプレイとプリンターが一体に形成されることが好ましい。
【０００８】
前記血液分析装置は、前記センサーカードで検出された信号を入力受けて処理するコントローラーと前記試薬移送部及び前記駆動部を制御するコントローラーは電気的に分離するのが好ましい。
【０００９】
前記血液分析装置は、前記センサーカードで検出された信号を入力されて処理するコントローラーで検出された信号の種類に応じて電気的に分離されていることが好ましい。
【００１０】
前記フレームには、カートリッジドアがヒンジ結合され、前記カートリッジドアをロックするカートリッジドアロック装置が結合され、前記カートリッジドアロック装置のロック状態をセンシングして、センシングされた信号を前記コントローラーに伝送するカートリッジドアロック感知センサーが結合されることが好ましい。
【００１１】
前記フレームには、血液供給部開閉レバーロック装置が結合され、前記血液供給部開閉レバーロック装置のロック状態をセンシングして、センシングされた信号を前記コントローラーに伝送する血液供給部開閉レバーロック感知センサーが結合されることが好ましい。
【００１２】
前記フレームには、前記駆動部の作動状態を感知して前記コントローラーに伝送する駆動部作動感知センサーが結合されることが好ましい。
【００１３】
前記血液供給部開閉レバーは、血液供給部を開閉する血液供給部開閉カバーからなり、前記血液供給部開閉カバーには、中央部に拡大鏡が結合されることが好ましい。
【００１４】
前記試薬管路連結部材は、前記試薬容器と管路を介して連結される複数の流入口と、前記流入口と連結されて試薬を前記血液供給部を通じて前記センサーカードに供給する排出口と、を備えることが好ましい。
【００１５】
前記フレームには、前記センサーカードの温度を一定に維持するようにヒーターが設けられたヒーターブロックを備えることが好ましい。
【００１６】
前記カートリッジは、前記センサーと管路を介して連結される検体廃棄容器が設けられることが好ましい。
【００１７】
本発明は、収納空間を備えるフレームと、前記フレームに収容されるカートリッジケースと、前記カートリッジケースに設けられて、血液中に含まれた電解質、ガス種及び代謝物質の濃度または赤血球容積率を検出するセンサーカードと、前記カートリッジケースに収容され、試薬移送部によって前記センサーカードに移送される試薬が保管される試薬容器と、前記試薬容器と管路を介して一対一で対応して連結された状態で固定された試薬管路連結部材と、前記試薬容器に収容された試薬を前記センサーカードに供給するか、またはその試薬を遮断する試薬供給及び遮断部と、前記試薬管路連結部材と連結または遮断され、血液または試薬を前記センサーカードに供給するように前記センサーカードと管路を介して連結される血液供給部とを備えるカートリッジと、前記センサーカードで検出された信号を入力されて処理するコントローラーと、前記フレームに結合される血液供給部開閉レバーと、前記フレームに提供され、前記血液供給部開閉レバーの動力を伝達して前記カートリッジの血液供給部を開閉させる動力伝達部と、前記フレームに設置され、前記カートリッジの試薬を移送する試薬移送部と、前記コントローラーの制御によって前記試薬供給及び遮断部を駆動して試料を移送させる管路を開閉させる駆動部と、を備える血液分析装置を提供する。
【００１８】
本発明は、収納空間が設けられたカートリッジケースと、前記カートリッジケースに提供されて、血液中に含まれた電解質、ガス種及び代謝物質の濃度または赤血球容積率を検出するセンサーカードと、前記カートリッジケースの収納空間に収容され、試薬移送部によって前記センサーカードに移送される試薬容器と、前記カートリッジケースの収納空間に収容され、前記センサーカードと管路を介して連結される検体廃棄容器と、前記試薬容器と管路を介して一対一で対応して連結された状態で固定された試薬管路連結部材と、前記試薬容器に収容された試薬を前記センサーカードに供給するか、またはその試薬を遮断する試薬供給及び遮断部と、前記試薬管路連結部材と連結または遮断され、血液または試薬を前記センサーカードに供給するように前記センサーカードと管路を介して連結される血液供給部と、を備える血液分析装置用カートリッジを提供する。
【００１９】
前記試薬管路連結部材は、前記試薬容器と管路を介して連結される複数の流入口と、前記流入口と連結されて、試薬を前記血液供給部を通じて前記センサーカードに供給する排出口と、を備えることが好ましい。
【００２０】
前記試薬供給及び遮断部は、前記試薬容器と前記試薬管路連結部材とを連結する管路に設置され、スライディング動作で管路を加圧すれば管路が閉鎖され、加圧が解除されれば管路が開放される加圧部材と、前記加圧部材が前記管路を加圧している状態を維持する方向に弾性力によって支持される弾性部材とを備えることが好ましい。
【００２１】
前記加圧部材は、ボディー部と、前記ボディー部の先端に設けられて弾性部材が支持されるヘッド部と、前記ボディー部から延び、前記管路挿入孔が形成される延長部と、を備えることが好ましい。
【発明の効果】
【００２２】
本発明によれば、簡単な構造による小型化が可能であるため、卓上用及び移動用装備として使用可能であり、医療陣が必要とする場所ならば、いかなる場所ででも短時間で患者の血液中の電解質、ガス種及び代謝物質の濃度または赤血球容積率などの状態を測定することができるため、医療陣の意思決定が迅速に行われることができる。また、本発明は、生産性を向上させ、使用が便利であるため、商品性を向上させることができる。
【図面の簡単な説明】
【００２３】
【図１】本発明の実施形態による血液分析装置を説明するための全体的な構成図である。
【図２】本発明の実施形態による血液分析装置の外観図である。
【図３】本発明の実施形態による血液分析装置の要部の分解図である。
【図４】本発明の実施形態による血液分析装置内の要部を示す図面である。
【図５】図４を他の角度から見た図面である。
【図６】本発明の実施形態による管路の開閉構造を示す図面である。
【図７】本発明に適用されるカートリッジの外観図である。
【図８】図７の分解斜視図である。
【図９】本発明に適用されるカートリッジの一部を分解した図面である。
【図１０】本発明に適用されるカートリッジの内部を示す図面である。
【図１１】図６のＸＩ−ＸＩ線による断面図である。
【図１２】本発明の実施形態による血液分析装置の要部を詳細に示す図面である。
【図１３】本発明の実施形態による血液分析装置の作用を説明するための図面である。
【図１４】本発明の実施形態による血液分析装置の作用を説明するためのフローチャートである。
【発明を実施するための最良の形態】
【００２４】
以下、添付図面を参照して本発明の好ましい実施形態を詳細に説明すれば次の通りある。
【００２５】
図１は、本発明の実施形態による血液分析装置を説明するための構成図であり、図２は、本発明の実施形態による血液分析装置の外観を示す斜視図であり、図３は、図２の血液分析装置の要部を分解した図面であって、血液分析装置の主要構成を示す。血液分析装置は、血液分析装置本体１００及びカートリッジ３００を備える。血液分析装置本体１００は、図３に示すように、血液分析装置本体１００の内部に空間をなすフレーム１０１と、前記フレーム１０１に結合されて外観をなすケース１０３とを備える。本発明の実施形態において、フレーム１０１に構成要素が設置されるということは、ケース１０３の内部に設置されるということと同じ意味であり、図面に示す例に限定されるものではない。
【００２６】
フレーム１０１は、血液分析装置のフレームをなすものであって、カートリッジ３００が挿入されて所定の位置に固定されることができる空間を備える。また、フレーム１０１には、カートリッジ３００が収納された後、収納されたカートリッジ３００を外部から隔離させるカートリッジドア１０５が設けられる。カートリッジドア１０５は、フレーム１０１にヒンジ結合などの通常の結合方法で結合されて、カートリッジ３００の引き出したり挿入するときに使用される。本発明の実施形態では、カートリッジドア１０５が設置された例を説明しているが、設計に応じてカートリッジドア１０５を省略することも可能である。また、フレーム１０１には、コントローラーＣと、前記コントローラーＣによって制御される出力部１０７が結合される。出力部１０７は、コントローラーＣで処理されたデータを、ユーザーが分かるように表示する表示装置であって、通常のディスプレイ１０９及びプリント装置１１１を備える。出力部１０７は、血液分析装置本体１００に一体に形成される。このような血液分析装置本体１００は、医療陣が必要とするときに、設置場所にかかわらず使用されることができる。出力部１０７は、前述の例に限定されるものではなく、コンピューターなどと電気的に連結されてデータを送受信することができる通常のデータ出力ポート（図示せず）などを備えることも可能である。
【００２７】
フレーム１０１には、図４に示すように、血液供給部開閉カバー１１３がヒンジ軸１１５によって回転するようにヒンジ結合される。血液供給部開閉カバー１１３は、中央部に拡大鏡１１３ａが設けられる。このような拡大鏡１１３ａは、その内部に配置される構造物（後述する血液供給部のニードル）を容易に観察するためのものである。血液供給部開閉カバー１１３のヒンジ軸１１５には、ヒンジ軸１１５に連動して回転力を伝達する動力伝達部１１７が設けられる。本発明の実施形態では、血液供給部開閉カバー１１３がヒンジ軸１１５に結合された例を説明しているが、これに限定されるものではなく、設計に応じて摺動する他の機構的な構造に形成されることができる。また、血液供給部開閉カバー１１３は、血液供給部開閉レバーからなることができる。
【００２８】
動力伝達部１１７は、血液供給部開閉カバー１１３の作動に連動して、その回転力で後述するカートリッジ３００の血液供給部を開閉させる役割を行う。このような動力伝達部１１７は、図５に示すように、ヒンジ軸１１５に結合された駆動プーリー１１５ａ、前記駆動プーリー１１５ａの回転力を伝達するベルト１１５ｂ、及び前記ベルト１１５ｂの回転力を伝達されて回転する被動プーリー１１５ｃを備える。さらに、被動プーリー１１５ｃの軸には、後述するカートリッジ３００の血液供給部を駆動する連結部材１１９が結合される。この連結部材１１９は、血液供給部に駆動力を伝達するように、先端部に突出部１１９ａが設けられることが好ましい。動力伝達部１１７は、本発明の実施形態で説明した構造に限定されるものではなく、必要に応じてベルトなしにギアーのみからなったり、直線運動などによる適切な動力伝達構造に設計変更が可能であり、多様な構成からなることができる。
【００２９】
また、フレーム１０１には、血液供給部開閉カバー１１３の開閉状態を感知して、その信号をコントローラーＣに伝送する血液供給部開閉カバー感知センサー１２１（図４を参照）が設けられる。フレーム１０１には、血液供給部開閉カバーを固定する血液供給部開閉カバーロック装置１２３が設けられる。血液供給部開閉カバーロック装置１２３は、コントローラーＣによって電気的に制御されて、血液供給部開閉カバー１１３をロックする通常の構造に形成されることができる。
【００３０】
フレーム１０１には、カートリッジ３００に提供された試薬をセンサーカードに供給したり、その試薬を遮断する駆動部１２５が設けられる。
【００３１】
駆動部１２５は、コントローラーＣの制御によって駆動される。駆動部１２５は、ソレノイド部１２７と、ソレノイド部１２７の内部に配置されて移動される移動部材１２９を備える。このような駆動部１２５は、図６に示すように、４個からなっているが、これに限定されるものではなく、設計上、必要に応じて多様な個数の駆動部１２５が配置されることができる。このような駆動部１２５は、コントローラーＣによって制御され、但し、移動部材１２９が移動して後述する加圧部材を加圧して移動させうるものならば、回転運動を通じて直線運動可能な構造などが本発明の実施形態として適用することができる。このような駆動部１２５の一側には、駆動部１２５の作動状態を感知して、コントローラーＣにその信号を伝送することができる駆動部作動感知センサー１３１が設置されることができる。
【００３２】
一方、フレーム１０１には、カートリッジ３００が結合された状態を維持するようにコントローラーＣによって制御されるカートリッジドアロック装置１３３（図１を参照）が設置されることができる。また、カートリッジドアロック装置１３３がロック状態を維持しているかを感知して、コントローラーＣにその信号を伝送するカートリッジドアロック感知センサー１３５（図１を参照）が設置されることができる。
【００３３】
一方、フレーム１０１には、コントローラーＣの制御によって試薬を移送する試薬移送部１３７が設けられる。試薬移送部１３７は、モーターによって駆動する回転体が、試薬を通過する管路に密着して回転することによって試薬を移送させる構造に形成されることができる。このような試薬移送部１３７（図１を参照）は、前述の例に限定されるものではなく、通常のものが使用されることができる。さらに、試薬を移送させうるポンプなどが使用されることも可能である。
【００３４】
また、血液分析装置には、後述するセンサーカードの温度を一定に維持するためのヒーターを備えたヒーターブロック（図示せず）が設置される。このようなヒーターは、コントローラーＣの制御によって作動するように電気的に連結されることが好ましい。
【００３５】
図７は、本発明の実施形態によるカートリッジの外観図であり、図８は、図７の分解斜視図であって、カートリッジ３００を示す。カートリッジ３００は、カートリッジケース３０１、センサーカード３０３、複数の試薬容器３０５、検体廃棄容器３０７（図１を参照）、試薬管路連結部材３０９、試薬供給及び遮断部３１１及び血液供給部３１３を備える。
【００３６】
カートリッジケース３０１は、所定期間使用した後、周期的に入れ替える入れ替え品であり、ほぼ四角形のボックス状を有し、その内部に収納空間を有する。カートリッジケース３０１の収納空間には、センサーカード３０３、複数の試薬容器３０５、検体廃棄容器３０７、試薬管路連結部材３０９、試薬供給及び遮断部３１１及び血液供給部３１３が収容されることができる。
【００３７】
センサーカード３０３は、検体を通過させて血液中に含まれている電解質、ガス種及び代謝物質の濃度または赤血球容積率を測定し、測定された値をコントローラーＣに伝送することができる。このようなセンサーカード３０３は、通常のものが使用されることができる。本発明の実施形態では、センサーカード３０３がカートリッジケース３０１に結合された例を説明しているが、本発明はこのような設置形態に限定されるものではなく、フレーム１０１に設置されることも可能であり、血液分析装置に設置されるものならばいかなるものでも可能である。
【００３８】
試薬容器３０５には多様な種類の試薬が入っている。試薬は、センサーカード３０３に伝達されて、血液中に含まれている電解質、ガス種及び代謝物質の濃度または赤血球容積率などを測定したものを補正する基準として使用されることができる。試薬容器３０５は、それぞれの管路ｐを介して試薬管路連結部材３０９に連結されている。このような試薬容器３０５は、合成樹脂またはアルミニウムバック（ｂａｇ）からなる通常のものが使用されることができる。
【００３９】
また、カートリッジケース３０１には、検体廃棄容器３０７及び参照溶液容器３０８が設けられることが好ましい。検体廃棄容器３０７は、さらに他の管路ｐを介してセンサーカード３０３と連結されている。検体廃棄容器３０７は、センサーカード３０３で使用済み試薬などを収容する容器である。参照溶液容器３０８には、センサーカード３０３の測定を周期的に検査する自動検査（Ｑｕａｌｉｔｙ  Ｃｏｎｔｏｌ；ＱＣ）機能を有する溶液が収容される。参照溶液容器３０８に収容された溶液を通じて測定された値はデータとして保存されて、ユーザーが装備の状態を確認することができる。
【００４０】
参照溶液容器３０８は、センサーカード３０３の収容された溶液を供給するようにさらに他の管路ｐを介して連結されている。すなわち、参照溶液容器３０８は、必要に応じて内部に収容された溶液をセンサーカード３０３側に直接供給することができる。
【００４１】
試薬管路連結部材３０９は、試薬容器３０５と管路ｐを介して連結されている。試薬管路連結部材３０９は、円周方向に試薬が流入される複数の流入口３０９ａが設けられる。また、これら流入口３０９ａが一箇所に集まって中央部に配置される排出口３０９ｂに連結される。これら流入口３０９ａは、試薬容器３０５とそれぞれ対応して、複数の管路ｐを介して常に試薬を排出口３０９ｂに伝達するように連結されている。すなわち、このような試薬管路連結部材３０９のそれぞれの流入口３０９ａは、試薬容器３０５と一対一で対応して、試薬が常に移送されるように連結された状態を維持している。さらに、排出口３０９ｂは、流入口３０９ａを介して流入された試薬を血液供給部３１３に伝達するように管路ｐによって連結される。
【００４２】
血液供給部３１３は、検体をセンサーカード３０３に伝達するか、または試薬管路連結部材３０９を通過した試薬または参照溶液をセンサーカード３０３に伝達する役割を行う。血液供給部３１３は、分析装置本体１００で説明した動力伝達部１１７の連結部材１１９の先端部に設けられた突出部１１９ａと結合して回転する回転体３２１と、前記回転体３２１に結合されるニードル３２３と、ニードル３２３を介して流入された血液または試薬をセンサーカード３０３に伝達するさらに他の管路ｐとを備える。このような血液供給部３１３は、血液供給部開閉カバー１１３の回転によって連動して、ニードル３２３が外部に突出するかまたはガイド３２５（図９を参照）に収納されることができる構造を有する。すなわち、ニードル３２３は、回転体３２１の回転によって外部に突出する場合には、血液を供給されてセンサーカード３０３に伝達することができ、回転体３２１の回転によって内部に収容された場合には、試薬管路連結部材３０９の排出部３０９ｂに連結された管路ｐに連結されて、試薬を供給されてセンサーカード３０３に伝達することができる。このような血液供給部３１３は、この分野で使用され、既に公知された通常の構造に形成されることができる。本発明の実施形態で説明した血液供給部３１３の構造は、前述の例に限定されるものではなく、回転体の回転だけでなく、スライドのような直線運動を通じても形成されることができる。また、血液供給部３１３は、所定の位置に収納されるようにカートリッジの内部に半円形の溝を備えたガイド３２５が設けられた構造を有するが、これに限定されるものではなく、血液供給部３１３が所定の区間のみを移動するように、ボール状の転がり部材、及び前記転がり部材が挿入されて固定されうる複数の溝を備える構造を有することも可能である。一方、前述の管路ｐは試薬移送部１３７に密着して、試薬移送部１３７の作動によって試薬が移送される。さらに、このような管路ｐは、伸縮性に優れた合成樹脂材からなることが好ましい。
【００４３】
試薬供給及び遮断部３５０は、図１０及び図１１に示すように、試薬容器３０５と試薬管路連結部材３０９との間に連結された管路ｐを開閉させて試薬をセンサーカード３０３に供給するか、またはその試薬を遮断する。このような試薬供給及び遮断部３５０は、複数の加圧部材３５１及び複数の弾性部材３５３を備える。加圧部材３５１は、略円柱状のボディー部３５１ａを備え、このボディー部３５１ａから延びる延長部３５１ｂと、延長部３５１ｂの反対側の先端に形成されるヘッド部３５１ｃとを備える。また、延長部３５１ｂには、ボディー部３５１ａの中心から円周方向に貫通する管路挿入孔３５１ｄが形成される。延長部３５１ｂは、カートリッジケース３０１に設けられたスリット３０１ａに挿入されて摺動するように、比較的に平たい形状を有することができる。ボディー部３５１ａは、ケース３０１に形成された穴３０１ｂに挿入されて摺動することができる。さらに、弾性部材３５３は、加圧部材３５１のヘッド部３５１ｃ及びケース３０１によって弾性的に支持されて、ケース３０１から離れる方向に配置される。このような弾性部材３５３は、圧縮コイルバネからなることが好ましい。しかし、弾性部材３５３は、単に加圧部材３５１を一方向に移動させうる構造ならば、いかなるものでも使用するすることができる。すなわち、管路ｐは、加圧部材３５１の管路挿入孔３５１ｄに挿入された状態で弾性部材３５３の弾性力が作用すれば、合成樹脂材からなる管路ｐが押されて試薬の移動が制限される。また、駆動部１２５に提供された移動部材１２９によって加圧部材３５１が加圧されて弾性部材３５３を押せば、管路ｐの加圧状態が解除されて試薬が通過するようになる。
【００４４】
一方、センサーカードで検出された信号を入力されて処理するコントローラーと試薬移送部及び駆動部を制御するコントローラーとは電気的に分離されることが好ましい。すなわち、センサーカードで検出された信号処理部分とポンプ−ソレノイドを駆動する部分とは電気的な干渉を避けるために、入力電源を別途に構成し、また、入出力信号部も別途に構成する分離回路を適用することが好ましい。
【００４５】
さらに、センサーカードで検出された信号を入力されて処理するコントローラーで検出された信号は、種類に応じて電気的に分離されることが好ましい。言い換えれば、センサーカードで検出された信号、すなわち、電解質、ガス種、代謝物質、赤血球容積率のような各測定項目に対する個別センシング信号または電気的な干渉を避けるために電気的分離回路を適用することが好ましい。
【００４６】
このような本発明の実施形態による血液分析装置の作動過程を図１、図１３及び図１４とその他添付図面を参照して詳細に説明すれば次の通りである。
【００４７】
まず、ユーザーは、カートリッジドア１０５を開けてカートリッジ３００を分析装置本体１００に挿入する。その後、カートリッジドア１０５を閉める。このとき、コントローラーＣは、カートリッジ３００にセンサーカード３０３が正常に挿入されたか否かをチェックする（Ｓ１）。また、コントローラーＣは、血液供給部開閉カバー１１３を血液供給部開閉カバーロック装置１２３によって正常にロックさせる。このとき、コントローラーＣは、血液供給部カバー開閉感知センサー１２１が血液供給部開閉カバーロック装置１２３のロック状態の信号をセンシングし、その信号を入力される（Ｓ３）。また、コントローラーＣは、カートリッジドア１０５をカートリッジドアロック装置１３３によってロックさせる。このとき、コントローラーＣは、カートリッジロック感知センサー１３５がカートリッジドアロック装置１３３のロック状態の信号をセンシングし、その信号を入力される（Ｓ５）。前述のステップＳ１、Ｓ３及びＳ５の後に、分析のための事前ウォーミングアップを行う（Ｓ７）。ウォーミングアップは、試薬容器３０５に収容されている試薬が代わる代わる移送されて、基準になるデータを先に測定する。このような基準になるデータは、後で血液で測定したデータを適正に補正するために使用される。以下、試薬が移送されるステップを説明すれば次の通りである。コントローラーＣは、駆動部１２５を制御して、移送させようとする試薬容器３０５に連結された管路ｐを開放することができる移動部材１２９を制御する。このとき、移動部材１２９は、図６に示すように、矢印の方向に移動しつつ試薬供給及び遮断部３５０の加圧部材３５１を加圧する。このとき、加圧部材３５１は、弾性部材３５３の弾性力を克服しつつ矢印の方向に移動する。加圧部材３５１が管路ｐを押していた状態を解除させる。したがって、試薬は管路ｐに沿って移送される。試薬は血液供給部３１３を通ってセンサーカード３０３に伝達される。センサーカード３０３に伝達された試薬による電気的信号はコントローラーＣに送信される。同様に、他の試薬容器３０５にある試薬も必要に応じてセンサーカード３０３によって電気的信号を測定する。また、センサーカード３０３に供給された試薬は検体廃棄容器３０７に流入されて保管される。血液測定準備ができれば、コントローラーＣは血液供給部開閉カバーロック装置１２３を制御してオープン可能な状態を維持する。このとき、作業者は血液供給部開閉カバー１１３を手で軽く引く。血液供給部開閉カバー１１３が回転しつつ動力伝達部１１７を通じて回転力を伝達する。すなわち、血液供給部開閉カバー１１３の回転によってヒンジ軸１１５が回転し、ヒンジ軸１１５が回転することによって、駆動プーリー１１７ａの回転力がベルト１１７ｂを通じて被動プーリー１１７ｃに伝達される。被動プーリー１１７ｃの回転力は連結部材１１９に伝達される。連結部材１１９に伝達された回転力は、カートリッジ３００の回転体３２１（図１２を参照）を回転させる。回転体３２１の回転によってニードル３２３も回転しつつその端部が外部に突出する。このとき、作業者は血液サンプルをニードルの先端と接触させる。コントローラーＣは試薬移送部１３７を制御して、血液サンプルをセンサーカード３０３の内部に移送させる。また、コントローラーＣは、ユーザーが血液供給部開閉カバー１１３を閉めるようにディスプレイを通じて信号を伝送する。ユーザーは、血液供給部開閉カバー１１３を軽く閉める。このとき、コントローラーＣは、血液供給部開閉カバーロック装置１２３を駆動してロック状態を維持することができる。次いで、センサーカード３０３は、血液の電解質、ガス種及び代謝物質の濃度または赤血球容積率などによる電気的信号を測定してコントローラーＣに伝送する（Ｓ９）。さらに、コントローラーＣは、電気的信号を試薬容器３０５に収容されている試薬によって測定したデータに基づき、測定された物質の分析結果を計算して（Ｓ１１）保存装置（図示せず）にそのデータを保存するか、または出力部１０７に出力することができる。また、試薬容器３０５に収容されている溶液でセンサーカード３０３を洗浄する（Ｓ１３）。センサーカード３０３の洗浄は、コントローラーＣが試薬移送部１３７を駆動させて、試薬容器３０５に収容されている溶液をしてセンサーカード３０３を通過させて検体廃棄容器３０７に流入させるためのことである。また、コントローラーＣは、分析検定を行うことができる（Ｓ１５）。
【００４８】
本発明の実施形態は、試薬容器３０５が試薬管路連結部材３０９に一対一で対応する構造を有しており、たとえ相異なる試薬を反復的に通過させるとしても外部に漏れる恐れがないため、センシングされたデータの精度を向上させれば、商品性をさらに向上させることができる。また、本発明の実施形態は、二つ以上の移動部材を動作させて二つ以上の試薬を混合して移送させることができるため、活用度をさらに高めることができる。また、本発明の実施形態は、センサーカード、チュービング及び溶液を含むカートリッジを使用する血液分析装置に係り、受動サンプリング方式が可能な構造を有しており、電気的な駆動部を削除することができるため、製作コスト及び消費電力を削減することができる。
【００４９】
また、本発明の実施形態は、簡単な構造を有するため、医療陣が必要とする場所ならば、いかなる場所ででも使用が可能であるため非常に便利である。
【符号の説明】
【００５０】
１００…血液分析装置本体
１０１…フレーム
１１７…動力伝達部
１２５…駆動部
１３７…試薬移送部
３００…カートリッジ
３０３…センサーカード
【図１】
2011503538.tif 000003
【図２】
2011503538.tif 000004
【図３】
2011503538.tif 000005
【図４】
2011503538.tif 000006
【図５】
2011503538.tif 000007
【図６】
2011503538.tif 000008
【図７】
2011503538.tif 000009
【図８】
2011503538.tif 000010
【図９】
2011503538.tif 000011
【図１０】
2011503538.tif 000012
【図１１】
2011503538.tif 000013
【図１２】
2011503538.tif 000014
【図１３】
2011503538.tif 000015
【図１４】
2011503538.tif 000016
【国際調査報告】
2011503538.tif 000017
2011503538.tif 000018